(57)【要約】バスダクトユニット１０の同相導体相互を接続ユニット３０にて電気的に接続するバスダクト接続構造であって、接続ユニット３０を外方から覆うカバー部材６０を備え、接続ユニット３０は、バスダクトユニット１０の同相導体相互の接続が完了した際に取り外される取外部を有する締着具４０を備え、カバー部材６０は、締着具４０から取外部が取り外されることにより、接続ユニット３０により接続されたバスダクトユニット１０の接続部に取り付けることが可能になっている。
2017110849.tif 000002
【特許請求の範囲】
【請求項１】
バスダクトの同相導体相互を接続部材にて電気的に接続するバスダクト接続構造であって、
前記接続部材を外方から覆うカバー部材を備え、
前記接続部材は、バスダクトの同相導体相互の接続が完了した際に取り外される取外部を有し、
前記カバー部材は、前記接続部材から前記取外部が取り外されることにより、該接続部材により接続されたバスダクトの接続部に取り付けることが可能になっていることを特徴とするバスダクト接続構造。
【請求項２】
前記接続部材は、緩止効果発揮部材を有する締着具であり、
前記緩止効果発揮部材は、前記取外部が取り外されることにより、緩み止め効果を発揮するようになっていることを特徴とする請求項１記載のバスダクト接続構造。
【請求項３】
前記接続部材は、ボルト及びナットを有する締着具であり、
前記ボルト及び前記ナットの少なくとも一方には、所定トルクで締め付けることにより破断する破断部が設けられ、
前記取外部は、前記破断部が破断することにより取り外されるようになっていることを特徴とする請求項１、又は２に記載のバスダクト接続構造。
【請求項４】
前記カバー部材は、前記取外部が取り外されていない状態で前記接続部に取り付けようとすると、前記取外部に干渉するようになっていることを特徴とする請求項１〜３の何れかに記載のバスダクト接続構造。
【発明の詳細な説明】
【技術分野】
【０００１】
本発明は、バスダクト接続構造に関し、例えば、高層ビルや工場等で電気幹線路として使用されるバスダクトにおいて、バスダクトの同相導体相互を接続部材にて電気的に接続するバスダクト接続構造に関する。
【背景技術】
【０００２】
特許文献１には、従来技術のバスダクト接続構造が開示されている。このバスダクト接続構造は、ダクト内に収納した複数条の接続すべき導体端末部を重ね合わせ、異相導体間及び導体とダクトとの間に夫々絶縁スペーサを介挿し、これらを、板バネを介してボルト及び定トルク破断ナットで一括締付したバスダクトの接続部を備えている。また、上記の定トルク破断ナットには、一定締付圧力でその一部が破断する絶縁カラーが被せられている。この構成により、作業者は、絶縁カラーの残部の長さを目視することでダクトの接続部が完全な締付圧力により緊締されているか否か（すなわち、バスダクトの接続部の接触圧力が充分であるか否か）を確認できる。【０００３】
また、特許文献２には、ねじの締結に関する技術として、ねじの緩み止め効果を発揮するねじ部品装置が開示されている。このねじ部品装置は、座面の外周に段部を形成したねじ部品と、そのねじ部品より大径で同一円周に沿って多数の突起を設けた座金と、上記ねじ部品の段部に回り止め的にはまると共に座金の突起に係止する爪を持ったロック部材と、上記座金とロック部材の間に配置し、中央にねじ締付け圧力を受けない径の穴が開いている破断可能な隔離板とを備えている。また、上記座金は、各突起の表面が、ねじ部品の締付け回転方向に向かって高くなった片流れ傾斜になっている。また、上記隔離板は、一方の面に座金の突起を受け入れる環状凹部が形成されている。そして、隔離板を適宜破断して除去することにより、ロック部材の爪が座金の表面に接して引っかかり、緩み止め効果を発揮するようになっている。尚、このねじ部品装置は、ねじ部品がロックされているか否かを、隔離板の有無を目視点検することにより容易に確認できるという効果も得られる。【０００４】
また、バスダクトが屋外で使用されることがあるが、この場合、一般的に、バスダクトの接続部への雨水等の浸入を防ぐために、特許文献３のように接続部にカバーを被せることが行われている。【０００５】
【特許文献１】実開昭５８−７２９３３号公報
【特許文献２】実開平３−２９７１６号公報
【特許文献３】実開昭５３−５０９００号公報
【発明の開示】
【発明が解決しようとする課題】
【０００６】
しかしながら、特許文献１に記載のバスダクト接続構造は、以下に示す課題を有している。具体的には、上記のバスダクト接続構造は、屋内で使用される場合、絶縁カラーの残部の長さを目視することができ、その目視した絶縁カラーの残部の長さからバスダクトの接続部が完全な締付圧力により緊締されているか否か（接続部の接触圧力が充分であるか否か）を確認することができる。しかし、上記のバスダクト接続構造は、屋外で使用される場合、特許文献３に記載されているようなカバーにより接続部が覆われることになるため、施工完了後の点検等において、全ての接続部において接触圧力が充分であるか否かを目視で判定できないという課題が発生する。【０００７】
また、特許文献２に記載のねじ部品装置についても、バスダクトの接続部を締結する部品（接続部材）として利用する場合に、特許文献１と同様の課題が発生する。具体的には、特許文献２に記載のねじ部品装置は、隔離板を破断することにより接続部の施工が完了するように工夫されているが、屋外で使用する場合、特許文献３に記載されているようなカバーで覆われるため、隔離板を破断したかどうかを点検することができない。【０００８】
本発明は、上記の課題を解消するためになされたものであり、その目的は、屋外で使用するなどのために、接続部材にカバーを被覆するバスダクトであっても、確実にバスダクトの接続部の接触圧力が充分であるか否かがわかるバスダクト接続構造を提供することにある。
【課題を解決するための手段】
【０００９】
上記課題を解決するためになされた本発明は、バスダクトの同相導体相互を接続部材にて電気的に接続するバスダクト接続構造であって、前記接続部材を外方から覆うカバー部材を備え、前記接続部材は、バスダクトの同相導体相互の接続が完了した際に取り外される取外部を有し、前記カバー部材は、前記接続部材から前記取外部が取り外されることにより、該接続部材により接続されたバスダクトの接続部に取り付けることが可能になっていることを特徴とする。【００１０】
このように、本発明のバスダクト接続構造は、バスダクトの接続作業が完了しないと、接続部材を外方から覆うカバー部材を取り付けることができないようになっている。そのため、本発明では、バスダクトの接続部の点検を行うときに、目視によりカバー部材の有無を確認することにより、バスダクトの接続部の接触圧力が充分であるか否かを容易に判定することができる。
また、本発明では、バスダクトの接続作業が完了しないと、カバー部材を取り付けることができないため、施工途中に、目視でカバー部材の有無を確認することで、バスダクトの接続部の接触圧力が充分であるか否かを判定することができる。【００１１】
また、前記接続部材は、緩止効果発揮部材を有する締着具であり、前記緩止効果発揮部材は、前記取外部が取り外されることにより、緩み止め効果を発揮するようになっていることが望ましい。【００１２】
また、前記接続部材は、ボルト及びナットを有する締着具であり、前記ボルト及び前記ナットの少なくとも一方には、所定トルクで締め付けることにより破断する破断部が設けられ、前記取外部は、前記破断部が破断することにより取り外されるようになっていることが望ましい。【００１３】
また、前記カバー部材は、前記取外部が取り外されていない状態で前記接続部に取り付けようとすると、前記取外部に干渉するようになっていることが望ましい。
【発明の効果】
【００１４】
本発明によれば、屋外で使用するなどのために、接続部材にカバーを被覆するバスダクトであっても、確実にバスダクトの接続部の接触圧力が充分であるか否かがわかるバスダクト接続構造を提供することができる。すなわち、本発明によれば、バスダクトの接続部の接触圧力が充分になるような施工が完了しないとバスダクトの施工が終了しないバスダクト接続構造を提供することができる。
【図面の簡単な説明】
【００１５】
【図１】本発明の第１実施形態のバスダクトを示す図であり、（ａ）が平面図であり、（ｂ）が断面図であり、（ｃ）が正面図である。
【図２】本発明の第１実施形態の接続ユニットを示す図であり、（ａ）が平面図であり、（ｂ）が正面図である。
【図３】本発明の第１実施形態の接続ユニットを構成する締着具を示す図であり、（ａ）が締着具の斜視図であり、（ｂ）が図３（ａ）に示す状態の締着具から外側のボルト頭及び第１リングを取り外した状態を示す斜視図であり、（ｃ）が図３（ｂ）に示す状態の締着具からプレートを破断した状態を示す斜視図であり、（ｄ）が図３（ａ）に示す締着具の正面図であり、（ｅ）が図３（ａ）に示す締着具の側面図である。
【図４】本発明の第１実施形態のバスダクトユニットを接続ユニットにより接続する工程を説明するための図であり、（ａ）が平面図であり、（ｂ）が正面図である。
【図５】本発明の第１実施形態のバスダクトユニットの接続部にカバー部材を取り付ける工程を説明するための図であり、（ａ）が平面図であり、（ｂ）が正面図である。
【図６】本発明の第１実施形態のバスダクトユニットの接続部にカバー部材が正常に取り付けられる状態を説明するための図であり、（ａ）が接続部にカバー部材が取り付けられる前の状態を示した図５のＡ部の拡大図であり、（ｂ）が接続部にカバー部材が正常に取り付けられた状態を示した図５のＡ部の拡大図である。
【図７】本発明の第１実施形態のバスダクトユニットの接続部にカバー部材が正常に取り付けられない状態を説明するための図あり、（ａ）が接続部にカバー部材が取り付けられる前の状態を示した図５のＡ部の拡大図であり、（ｂ）が接続部の部品とカバー部材が干渉して取り付けられない状態を示した図５のＡ部の拡大図である。
【図８】本発明の第１実施形態のバスダクトに接続上下板を取り付ける工程を説明するための図であり、（ａ）が平面図であり、（ｂ）が正面図である。
【図９】本発明の第２実施形態のバスダクトユニットの接続部にカバー部材が正常に取り付けられる状態を説明するための図であり、（ａ）が接続部にカバー部材が取り付けられる前の状態を示した図であり、（ｂ）が接続部にカバー部材が正常に取り付けられた状態を示した図である。
【図１０】本発明の第２実施形態のバスダクトユニットの接続部にカバー部材が正常に取り付けられない状態を説明するための図であり、（ａ）が接続部にカバー部材が取り付けられる前の状態を示した図であり、（ｂ）が接続部の部品とカバー部材が干渉して取り付けられない状態を示した図である。
【図１１】本発明の第２実施形態の変形例の締着具を示す図であり、（ａ）が締着具の斜視図であり、（ｂ）が図１１（ａ）に示す状態の締着具から外側のボルト頭及び第１リングを取り外した状態を示す斜視図であり、（ｃ）が図１１（ｂ）に示す状態の締着具からプレートを破断した状態を示す斜視図であり、（ｄ）が図１１（ａ）に示す締着具の正面図であり、（ｅ）が図１１（ａ）に示す締着具の側面図である。
【図１２】本発明の第２実施形態の変形例のバスダクトユニットの接続部にカバー部材が正常に取り付けられる状態を説明するための図であり、（ａ）が接続部にカバー部材が取り付けられる前の状態を示した図であり、（ｂ）が接続部にカバー部材が正常に取り付けられた状態を示した図である。
【図１３】本発明の第２実施形態の変形例のバスダクトユニットの接続部にカバー部材が正常に取り付けられない状態を説明するための図であり、（ａ）が接続部にカバー部材が取り付けられる前の状態を示した図であり、（ｂ）が接続部の部品とカバー部材が干渉して取り付けられない状態を示した図である。
【発明を実施するための最良の形態】
【００１６】
以下、本発明の実施形態（第１実施形態、第２実施形態）のバスダクト接続構造について図面に沿って説明する。尚、本発明は、以下に示す実施形態に限定されるものでなく、その実施形態を部分的に組み合わせたり、不要箇所を削除したりするなど本発明の要旨の範囲内で種々の変形が可能である。【００１７】
《第１実施形態》
先ず、本発明の第１実施形態のバスダクト接続構造について図１〜図８を参照しながら説明する。【００１８】
第１実施形態のバスダクト接続構造は、図５に示すように、バスダクトユニット１０、１０と、バスダクトユニット１０、１０を相互に接続する接続ユニット３０とを有するバスダクトにおけるバスダクト接続構造であって、バスダクトユニット１０、１０を相互に接続する接続ユニット３０を外方から覆うカバー部材６０を備えている。【００１９】
また、接続ユニット３０は、バスダクトユニット１０、１０を相互に接続するための締着具４０を備えている。この締着具４０には、バスダクトユニット１０、１０の同相導体相互の接続（所定締付圧力による接続）が完了した際に取り外される取外部（後述するボルト頭４１ａ、第１リング４３、プレート４７）が設けられている。また、カバー部材６０は、締着具４０から取外部が取り外されることにより、バスダクトユニット１０、１０の接続部（接続ユニット３０を外方から覆う位置）に取り付けることが可能になっている。【００２０】
このように、第１実施形態では、バスダクトユニット１０、１０の接続作業が完了しないと、カバー部材６０を取り付けることができないようになっている。そのため、作業者は、バスダクトの接続部の点検を行うときに、目視によりカバー部材６０の有無を確認することにより、バスダクトユニット１０、１０の接続が良好に行われているか否かを容易に判定することができる。
また、第１実施形態によれば、作業者は、バスダクトユニット１０、１０の接続作業中に、目視でカバー部材６０の有無を確認することで、良好な接続が行われているか否かを判定することができる。
以下、第１実施形態の各構成について順番に説明していく。【００２１】
先ず、バスダクトユニット１０について図１を参照しながら説明する。
図示するように、バスダクトユニット１０は、積層配置された４線の絶縁導体１１と、一方（図１（ａ）に示す下方）の絶縁導体１１に積層されるように沿わせたアース導体（板状の裸導体）１３と、絶縁導体１１の長さ方向に点在するスペーサ１４と、積層配置された４線の絶縁導体１１の板厚方向両側に配置された一対のハウジング側板１５と、絶縁導体１１の幅方向両側に配置された一対のハウジング上下板１６とを備えている。
なお、一対のハウジング側板１５は、「積層配置された４線の絶縁導体１１」及び「アース導体１３」を、絶縁導体１１の長さ方向に点在するスペーサ１４を介在させた状態で挟持している。また、ハウジング上下板１６は、ハウジング側板１５にビス１８により固定されている。【００２２】
ここで、絶縁導体１１は、絶縁物１１ｂで被覆された板状の導体１１ａにより形成されている。尚、本実施形態のバスダクトユニット１０では、４線の絶縁導体１１が板厚方向に積層配置されているが、絶縁導体１１の線数は例示に過ぎない。
また、ハウジング側板１５は、他方の絶縁導体１１及びスペーサ１４（又はアース導体１３及びスペーサ１４）に接する平板状の基面１５ａと、この基面１５ａの上下端を外方に屈曲延設してなる第１補強部１５ｂとで構成されている（図１（ｂ）参照）。【００２３】
尚、バスダクトユニット１０は、例えば、以下の手順で組み立てることができる。
具体的には、先ず、積層された絶縁導体１１及びアース導体１３の幅方向両端に所定間隔でスペーサ１４を配置し、これらを絶縁導体１１の板厚方向両側からハウジング側板１５の基面１５ａにて挟持し、基面１５ａ相互をボルトナット、ワッシャー等からなる締着具１７でスペーサ１４を介在させた状態で締め付け固定する。次に、ハウジング側板１５の第１補強部１５ｂを架け渡すように断面コ字形のハウジング上下板１６を配置し、第１補強部１４ｂとハウジング上下板１６とをビス１８で固定する。これにより、バスダクトユニット１０が組み立てられる。【００２４】
また、バスダクトユニット１０の長さ方向両端部は、ハウジング側板１５の基面１５ａから延設してなるバスダクト接続側板１９が形成されている。このバスダクト接続側板１９は、導体１１ａの板厚方向に段付けされたＬ字形状をしており、後述する接続ユニット３０の接続継ぎ板３３と固定できるようになっている。また、絶縁導体１１の端部は、絶縁物１１ｂが除去され且つ段付けされており、導体１１ａ相互間が一定距離離間するように構成され、後述する接続ユニット３０の絶縁セパレータ３１及び導電性接続部材３２を介在可能に構成されている。【００２５】
次に、接続ユニット３０について図２及び図３を参照しながら説明する。
図２に示すように、接続ユニット３０は、異相導体端部間を絶縁する絶縁セパレータ３１と、同相導体端部相互間を電気的に接続する導電性接続部材３２と、これらを外方から挟持する接続継ぎ板３３とを有し、これらをボルトナット等の締着具４０、座金５０及び断面コ字形の押さえ部材３５で仮締着することより、接続ユニット３０が形成されている。尚、アース導体１３は、最外の導電性接続部材３２と接続継ぎ板３３との間に介在し、導電性接続部材３２及び接続継ぎ板３３により電気的に接続されるようになっている。【００２６】
また、接続継ぎ板３３は、平板状の基面３３ａと、基面３３ａの両端部を外方に屈曲延設してなる第１屈曲片３３ｂと、この第１屈曲片３３ｂを更に互いに離反する方向に屈曲延設してなる第２屈曲片３３ｃとを有し、その中央部に導体幅方向に凹溝を有する形状になっている。また、凹溝の幅は、押さえ部材３５の幅より僅かに長くなっており、ちょうど凹溝内に押さえ部材３５が収納される構造となっている。【００２７】
また、締着具４０は、図３に示すように、直列に配置された２つのボルト頭４１ａ、４１ｂを有するボルト（２重頭ボルト）４１と、ボルト４１のネジ部に螺合するナット４２（図２（ａ）参照）と、内側のボルト頭４１ｂを収容する第２リング４４と、第２リング４４を覆う第１リング４３と、ワッシャー４５と、プレート４７と、緩み止め機構４８とを備えている。【００２８】
また、ボルト４１には、外側のボルト頭４１ａと、内側のボルト頭４１ｂとの間に所定トルクで締め付けられることで破断する破断部が形成されている。そして、ボルト頭４１ａが所定トルクで締め付けられると、破断部が破断してボルト頭４１ａがネジ切られて取り外されるようになっている。
尚、上記の所定トルクとは、バスダクトの接続部の接触圧力が充分になる締付けトルク値のことをいう。【００２９】
また、第１リング４３は、平面視円形の基面４３ａと、基面４３ａの周縁を屈曲延設してなる周壁４３ｂとを有する中空円筒状に形成され、基面４３ａから一部の周壁４３ｂに亘って溝４３ｃが形成されており（図３（ｂ）参照）、この溝４３ｃに外側のボルト頭４１ａと内側のボルト頭４１ｂとの間に設けられている破断部が入り込むように取り付けられ、ボルト頭４１ａが、第２リング４４を覆っている第１リング４３の基面４３ａから突出するようになっている。【００３０】
また、第２リング４４は、平面視円形で、ボルト４１の軸を挿通可能な孔（図示省略）が穿設された基面４４ａと、基面４４ａの周縁を屈曲延設してなる周壁４４ｂを有した中空円筒形状になっており（図３（ｃ）参照）、この周壁内４４ｂの内側に、ボルト頭４１ｂが収納される構造となっている。また、周壁４４ｂに囲まれた開口４４ｃから、ボルト頭４１ｂを緩めるための特殊工具が挿入できるようになっている。【００３１】
また、外側のボルト頭４１ａが所定トルクによりネジ切られると、第２リング４４から第１リング４３を取り外すことができるようになっている（第１リング４３を押さえているボルト頭４１ａが無くなるため、第２リング４４から第１リング４３を取り外すことが可能になる）。そして、第１リング４３を取り外すと第２リング４４が目視可能となる。【００３２】
尚、第２リング４４内に収納されている内側のボルト頭４１ｂは、開口４４ｃから目視できるが、特殊工具を使用しないと緩めることができない構造となっている。そして、マイナスドライバー等の工具Ｄを使用してプレート４７を割って取り外すことにより、緩み止め機構４８が作動し、緩み止め効果が発揮される。【００３３】
また、プレート４７は、正面視略円形で、中央部に略円形の開口４７ａ１を有した板状に形成された基面４７ａを備え、基面４７ａの周縁には、一対のへこみ部４７ｂ（円弧状に内側に凹んだへこみ部４７ｂ）が対向して形成されている（図３（ｃ）参照）。
また、へこみ部４７ｂと直交する対向部分には、それぞれ、外方（基面４７ａ１と直交する方向に）に突出する突出部４７ｃが２つずつ形成されている。すなわち、プレート４７の開口４７ａ１の中心を回転基準と仮定し、へこみ部４７ｂの中心位置（一番凹んでいる位置）から「９０度」回転移動した位置の近傍に、外方に突出する突出部４７ｃが形成されている。また、プレート４７の開口４７ａ１の中心を回転基準と仮定し、へこみ部４７ｂの中心位置（一番凹んでいる位置）から「−９０度」回転移動した位置の近傍に、外方に突出する突出部４７ｃが形成されている。
また、２つの突出部４７ｃの間の基面４７ａには薄肉部が形成されており、突起部４７ｃ相互間にマイナスドライバー等の工具Ｄを入れてひねる等することにより、薄肉部が破断して、締着具４０からプレート４７を取り外すことができるようになっている。【００３４】
緩み止め機構４８は、第２リング４４とプレート４７との間に介在する略リング状のバネ材４８ａと、プレート４７とワッシャー４５との間に介在する円板部材４８ｂとで構成されている。尚、バネ材４８ａは、例えば、リング形状の板材の一部を切断して捻じることにより形成されている。また、円板部材４８ｂの一方面には、複数の凸部４８ｂ１が形成されている。
そして、プレート４７が取り外されることにより、バネ材４８ａの一端が凸部４８ｂ１に引っかかり、ボルト４１が回らないようになっている。【００３５】
次に、接続ユニット３０を用いて、バスダクトユニット１０、１０を接続する工程について図４〜図８を参照しながら説明する。【００３６】
先ず、図４に示すように、接続ユニット３０の締着具４０を緩めておき、バスダクトユニット１０の同相の導体１１a（絶縁物１１ｂが除去された絶縁導体１１の端部）を接続ユニット３０の導電性接続部材３２相互間に挿入する。このとき、バスダクト接続側板１９を、接続継ぎ板３３の第２屈曲片３３ｃ（図２参照）に沿わせ且つ第１屈曲片３３ｂに当接する位置まで挿入する。【００３７】
次に、接続継ぎ板３３とバスダクト接続側板１９をビス等で固定し、締着具４０を本締着することにより、図５に示すように、バスダクトユニット１０、１０相互間を電気的に接続する。
ここでいう本締着とは、締着具４０の外側のボルト頭４１ａを所定トルクで締め付けてボルト４１の破断部を破断させてボルト頭４１ａを取り外し、その後、第２リング４４から第１リング４３を取り外し、最後に、プレート４７の突起部４７ｃ相互間にマイナスドライバー等の工具Ｄを入れてひねる等して、薄肉部を破断して、締着具４０からプレート４７を取り外す作業のことをいう。【００３８】
次に、電気的に接続したバスダクトユニット１０、１０に対して、カバー部材６０を取り付ける作業を行う。
具体的には、図５に示すように、電気的に接続されバスダクトユニット１０、１０の接続部に対して、一対のカバー部材６０を絶縁導体１１の板厚方向両側から被せ、バスダクト接続側板１９にビスで固定する作業を行う。
尚、カバー部材６０は、締着具４０を覆う平面視四方形の基面６０ａと、基面６０ａの四辺をそれぞれ屈曲延設してなる側面６０ｂとを有する箱状に形成されている。また、カバー部材６０は、対向する２側面６０ｂの端部をそれぞれ離反する方向に屈曲延設してなる固定片６０ｃが形成されている。また、固定片６０ｃの対向する２辺には、接続ユニット３０から離間する方向でそれぞれが同じ方向に屈曲延設する接続上下板固定片６０ｄが形成されている。この接続上下板固定片６０ｄは、ビス孔６０ｄ１が穿設されている。【００３９】
尚、上記のカバー部材６０を取り付ける工程の前に、締着具４０のボルト頭４１ａを所定のトルクで締め付けてボルト４１の破断部を破断させ、ボルト頭４１ａを取り外していれば、図６に示すように、カバー部材６０が他の部品に干渉することなくバスダクト接続側板１９に固定できる。
しかし、締着具４０のボルト頭４１ａが取り外されていない状態（すなわち、ボルト頭４１ａを所定のトルクで締め付けていない状態）でカバー部材６０を取り付けようとしても、図７に示すように、カバー部材６０の基面６０ａと外側のボルト頭４１ａが干渉してしまい、カバー部材６０をバスダクト接続側板１９に固定することができない。
このように、第１実施形態では、接続ユニット３０の締着具４０を所定のトルクで締め付けて破断部を破断させてボルト頭４１ａを取り外さない限り（すなわち、締着具４０が所定トルクで締め付けられて、バスダクトユニット１０の同相導体相互が所定トルクにより緊締されない限り）、カバー部材６０を取り付けることができないようになっている。【００４０】
次に、接続上下板７０の取り付ける工程を説明する。
具体的には、図８に示すように、締着具４０を覆ったカバー部材６０が取り付けられたバスダクトに対して、絶縁導体１１の幅方向両側から接続上下板７０を被せ、カバー部材６０に形成された接続上下板固定片６０ｄにビスで固定する。この作業により、バスダクトユニット１０、１０の接続が完了する。【００４１】
以上説明したように、第１実施形態では、接続ユニット３０の締着具４０を所定のトルクで締め付けてボルト４１の破断部を破断させてボルト頭４１ａを取り外し、第１リング４３を取り外し、プレート４７を破断した後に、カバー部材６０を取り付け、その後、対応開放面である接続ユニット３０の上下面に接続上下板７０を被せてビス等で固定することにより、バスダクトの接続作業が完了する。【００４２】
このように、第１実施形態のバスダクト接続構造によれば、バスダクトの接続部の接触圧力が充分でない限り、カバー部材６０を被せることができないため、カバー部材６０を被せられているものは接続作業が正常に完了したものと判断でき、長期に亘って良好な通電を行うことができる。
すなわち、第１実施形態によれば、接続部材６０にカバーを被覆するバスダクト接続構造であって、確実にバスダクトの接続部の接触圧力が充分であることがわかるバスダクト接続構造が提供される。【００４３】
《第２実施形態》
次に、本発明の第２実施形態のバスダクト接続構造について、図９及び図１０を用いて説明する。
ここで、図９は、第２実施形態のバスダクトユニットの接続部にカバー部材が正常に取り付けられる状態を説明するための図である。また、図１０は、第２実施形態のバスダクトユニットの接続部にカバー部材が正常に取り付けられない状態を説明するための図である。【００４４】
尚、第２実施形態のバスダクト接続構造は、上述したカバー部材６０の構成を一部変更したものであり、バスダクトユニット１０及び接続ユニット３０は、第１実施形態と同じである。そのため、以下では、第１実施形態と同じ構成（或いは相当する構成）には同じ符号を付して説明を省略し、第１実施形態と異なる部分を詳細に説明する。【００４５】
具体的には、図９に示すように、第２実施形態のカバー部材１６０は、第１実施形態のカバー部材６０と同様、平面視四方形の基面６０ａと、４つの側面６０ｂと、対向する２側面６０ｂの端部をそれぞれ離反する方向に屈曲延設してなる固定片６０ｃと、孔６０ｄ１が穿設された接続上下板固定片６０ｄとを有している。
また、カバー部材１６０は、基面６０ａの内面に、少なくとも１つの突起（図示する例では２つの突起）１６１がバスダクト側へ立設しており、カバー部材１６０を取り付ける際に、突起１６１が押さえ部材３５のコ字状内に入り込むことができる幅寸法に形成されている。【００４６】
第２実施形態の構成によれば、第１実施形態と同様、接続ユニット３０の締着具４０を所定のトルクで締め付けてボルト４１の破断部を破断させてボルト頭４１ａを取り外し、第１リング４３を取り外し、プレート４７を破断した後に、カバー部材１６０を取り付ける場合、カバー部材１６０が他の部品等に干渉することがなく、正常にバスダクト接続側板１９にビス等で固定される（図９参照）。
一方、第２実施形態の構成によれば、ボルト４１の破断部を破断させてボルト頭４１ａを取り外し、第１リング４３を取り外しただけの状態において（すなわち、プレート４７を取り外していない状態において）、カバー部材１６０を取り付ける場合、図１０に示すように、カバー部材１６０の突起１６１がプレート４７に干渉するため、カバー部材１６０をバスダクト接続側板１９にビス等で固定することができなくなる。
すなわち、第２実施形態の構成によれば、接続ユニット３０のボルト４１の破断部を破断させてボルト頭４１ａを取り外し、第１リング４３を取り外し、プレート４７を破断しない限り、カバー部材１６０を取り付けることができない。【００４７】
このように、第２実施形態のバスダクト接続構造を使用することにより、第１実施形態と同様の効果を発揮することができる。また、第２実施形態では、緩み止め効果を発揮させるための「プレート４７の破断作業」が完了していないと、カバー部材１６０を取り付けることができないため、緩み止め効果が発揮されたバスダクトユニット１０の接続を確実に行わせることができる。【００４８】
以上、本発明の実施形態（第１実施形態、第２実施形態）について説明したが、上述した通り、本発明は、この実施形態（第１実施形態、第２実施形態）に限定されるものではなく、その要旨の範囲内において種々の変更が可能である。【００４９】
具体的には、バスダクトユニット１０の構造や接続ユニット３０の構造等も上記実施形態に限定されるものではない。例えば、バスダクトユニット１０は、４線式である必要はなく、５線式以上であっても良く、或いは３線式以下であっても良く、また、アース導体１３の有無はどちらであっても良く、更に密着絶縁型バスダクトである必要もなく、空気絶縁型バスダクトであっても良い。また、上述した実施形態のように、接続ユニット３０がバスダクトユニット１０と別体で設けられている必要はなく、予め、一方のバスダクトユニット１０に、他方のバスダクトユニット１０と接続するための接続部が設けられている構成（すなわち、バスダクトユニット１０と、接続ユニット３０とが一体となった構成）であってもよい。また、バスダクトユニット１０、１０同士の接続は、突き合わせ接続に限定されず、重ね合わせ接続であっても良い。【００５０】
また、上述した実施形態（第１実施形態、第２実施形態）では、締着具４０が、第１リング４３、第２リング４４及びプレート４７を備えているが、第１リング４３、第２リング４４及びプレート４７は必須の構成ではない。例えば、第２実施形態では、突起１６１が設けられているため、プレート４７を設けずに、突起１６１が第１リング４３と干渉する構造としてもよい。また、カバー部材６０、１６０との干渉は、ナット４２側で行っても良い。【００５１】
また、各種部材を取り付ける際に、部材間に防水性を有するパッキン材を挟むなど適宜処理を行い、防水性を高めることができることは言うまでもない。【００５２】
また、上述した実施形態（第１実施形態、第２実施形態）では、ボルト４１に所定トルクで締め付けられることで破断する破断部が形成され、ボルト頭４１ａが所定トルクで締め付けられると、破断部が破断してボルト頭４１ａがネジ切られて取り外されるようになっているが、特にこれに限定されるものではない。
上記の破断部がボルト４１ではなく、ナット４２側に設けられ、ナット４２が所定トルクで締め付けられると、破断部が破断してナットの一部が取り外されるようになってもよい。この場合、ボルト４１が２重頭ボルトになっている必要はない。【００５３】
また、第２実施形態では、カバー部材１６０に突起１６１を設けていたが、図１１〜１３に示すように、同様の機能の構成を、カバー部材１６０側ではなく、締着具４０側に設けるようにしてもよい。
ここで、図１１は第２実施形態の変形例の締着具を示す図であり、図１２は第２実施形態の変形例のバスダクトユニットの接続部にカバー部材が正常に取り付けられる状態を説明するための図であり、図１３は第２実施形態の変形例のバスダクトユニットの接続部にカバー部材が正常に取り付けられない状態を説明するための図である。
尚、図１１〜１３では、第１、２実施形態と同じ構成（或いは相当する構成）には同じ符号を付している。【００５４】
具体的には、図１１に示すように、プレート１４７は、第１実施形態のプレート４７と同様、中央部開口４７ａ１が形成された基面４７ａを有し、基面４７ａの周縁には、一対のへこみ部４７ｂが対向して形成されている（図１１（ｃ）参照）。また、プレート１４７は、第１実施形態のプレート４７の突起４７ｃの位置に、突起４７ｃよりもカバー部材６０方向に長く突出する突起１４７ｃが設けられている（第２リング４４の基面４４ａよりも、カバー部材６０側に突出する突起１４７ｃが設けられている）。【００５５】
この構成によれば、図１２に示すように、接続ユニット３０の締着具４０を所定のトルクで締め付けてボルト４１の破断部を破断させてボルト頭４１ａを取り外し、第１リング４３を取り外し、プレート１４７を破断した状態において、カバー部材６０を取り付けようとした場合、カバー部材６０が、他の部品に干渉することなくバスダクト接続側板１９にビス等で固定できる。
一方、図１３に示すように、ボルト４１の破断部を破断させてボルト頭４１ａを取り外し、第１リング４３を取り外しただけの状態（すなわち、プレート１４７を取り外していない状態）において、カバー部材６０を取り付けようとした場合、プレート１４７の突起１４７ｃにカバー部材６０が干渉するため、カバー部材６０をバスダクト接続側板１９に固定することができない。
すなわち、第２実施形態の変形例においても、上述した第２実施形態と同様の効果が得られる。尚、突起１４７ｃは、必ずしも４つある必要はなく、少なくとも、１つあれば良い。
【産業上の利用可能性】
【００５６】
本発明のバスダクト接続構造は、例えば、高層ビルや工場等で電気幹線路として使用されるバスダクトの接続を行う際に利用することができる。
【符号の説明】
【００５７】
１０…バスダクトユニット
１１…絶縁導体
１１ａ…導体
１１ｂ…絶縁物
１３…アース導体
１４…スペーサ
１５…ハウジング側板
１５ａ…基面
１５ｂ…第１補強部
１６…ハウジング上下板
１７…締着具
１８…ビス
１９…バスダクト接続側板
３０…接続ユニット
３１…絶縁セパレータ
３２…導電性接続部材
３３…接続継ぎ板
３３ａ…基面
３３ｂ…第１屈曲片
３３ｃ…第２屈曲片
３５…押さえ部材
４０…締着具
４１…ボルト（２重頭ボルト）
４１ａ…ボルト頭
４１ｂ…ボルト頭
４２…ナット
４３…第１リング
４３ａ…基面
４３ｂ…周壁
４３ｃ…溝
４４…第２リング
４４ａ…基面
４４ｂ…周壁
４４ｃ…開口
４５…ワッシャー
４７…プレート
４７ａ…基面
４７ａ１…開口
４７ｂ…へこみ部
４７ｃ…突出部
４８…緩み止め機構
４８ａ…バネ材
４８ｂ…円板部材
４８ｂ１…凸部
５０…座金
６０…カバー部材
６０ａ…基面
６０ｂ…側面
６０ｃ…固定片
６０ｄ…接続上下板固定片
６０ｄ１…ビス孔
７０…接続上下板
１４７…プレート
１４７ｃ…突起
１６０…カバー部材
１６１…突起
【図１】
2017110849.tif 000003
【図２】
2017110849.tif 000004
【図３】
2017110849.tif 000005
【図４】
2017110849.tif 000006
【図５】
2017110849.tif 000007
【図６】
2017110849.tif 000008
【図７】
2017110849.tif 000009
【図８】
2017110849.tif 000010
【図９】
2017110849.tif 000011
【図１０】
2017110849.tif 000012
【図１１】
2017110849.tif 000013
【図１２】
2017110849.tif 000014
【図１３】
2017110849.tif 000015
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
バスダクトの同相導体相互を接続部材にて電気的に接続するバスダクト接続構造であって、
前記接続部材を外方から覆うカバー部材を備え、
前記接続部材は、バスダクトの同相導体相互の接続が完了した際に取り外される取外部と、緩止効果発揮部材とを有する締着具であり、
前記取外部及び前記カバー部材のうち少なくとも一方に互いに干渉する干渉部が設けられ、
前記緩止効果発揮部材は、前記接続部材が締着された後に前記取外部が取り外されることにより、緩み止め効果を発揮し、
前記カバー部材は、前記接続部材から前記取外部が取り外されることにより、前記接続部材により接続されたバスダクトの接続部に取り付けることが可能になっていることを特徴とするバスダクト接続構造。
【請求項２】
前記取外部は、中央部に開口が設けられた基面を備え、前記基面から外方に突出する突出部が形成された板状部材を有し、
前記板状部材の突出部は、前記板状部材が取り外されていない状態で前記カバー部材と干渉する一方、
前記板状部材が取り外されることにより、前記緩止効果発揮部材による緩み止め効果を発揮させることを特徴とする請求項１に記載のバスダクト接続構造。
【請求項３】
前記接続部材は、ボルト及びナットを有する締着具であり、
前記ボルトは、前記板状部材の前記開口に挿通して配置され、
前記板状部材の突出部は、少なくとも前記ボルトを挟んで対向する位置に設けられていることを特徴とする請求項２に記載のバスダクト接続構造。
【請求項４】
バスダクトの同相導体相互を接続部材にて電気的に接続するバスダクト接続構造であって、
前記接続部材を外方から覆うカバー部材を備え、
前記接続部材は、バスダクトの同相導体相互の接続が完了した際に取り外される取外部と、緩止効果発揮部材と、ボルト及びナットとを有する締着具であり、
前記取外部は、中央部に開口が設けられた基面を備え、前記基面から外方に突出する突出部が形成された板状部材を有し、
前記ボルトが、前記板状部材の前記開口に挿通して配置され、
前記板状部材の突出部は、少なくとも前記ボルトを挟んで対向する位置に設けられており、
前記板状部材の突出部は、前記板状部材が取り外されていない状態で前記カバー部材と干渉し、
前記緩止効果発揮部材は、前記接続部材が締着された後に前記板状部材が取り外されることにより、緩み止め効果を発揮し、
前記カバー部材は、前記接続部材から前記取外部が取り外されることにより、前記接続部材により接続されたバスダクトの接続部に取り付けることが可能になっていることを特徴とするバスダクト接続構造。
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
バスダクトの同相導体相互を接続部材にて電気的に接続するバスダクト接続構造であって、
前記接続部材を外方から覆うカバー部材を備え、
前記接続部材は、バスダクトの同相導体相互の接続が完了した際に取り外される取外部と、前記取外部が取り外されることにより緩み止め効果を発揮する緩止効果発揮部材とを有する締着具であり、
前記取外部及び前記カバー部材のうち少なくとも一方に互いに干渉する干渉部が設けられ、
前記カバー部材は、前記接続部材から前記取外部が取り外されないと、前記接続部材により接続されたバスダクトの接続部に取り付けることができないことを特徴とするバスダクト接続構造。
【請求項２】
前記取外部は、中央部に開口が設けられた基面を備え、前記基面から外方に突出する突出部が形成された板状部材を有し、
前記板状部材の突出部は、前記板状部材が取り外されていない状態で前記カバー部材と干渉する一方、
前記板状部材が取り外されることにより、前記緩止効果発揮部材による緩み止め効果を発揮させることを特徴とする請求項１に記載のバスダクト接続構造。
【請求項３】
前記接続部材は、ボルト及びナットを有する締着具であり、
前記ボルトは、前記板状部材の前記開口に挿通して配置され、
前記板状部材の突出部は、少なくとも前記ボルトを挟んで対向する位置に設けられていることを特徴とする請求項２に記載のバスダクト接続構造。
【請求項４】
バスダクトの同相導体相互を接続部材にて電気的に接続するバスダクト接続構造であって、
前記接続部材を外方から覆うカバー部材を備え、
前記接続部材は、バスダクトの同相導体相互の接続が完了した際に取り外される取外部と、緩止効果発揮部材と、ボルト及びナットとを有する締着具であり、
前記取外部は、中央部に開口が設けられた基面を備え、前記基面から外方に突出する突出部が形成された板状部材を有し、
前記ボルトが、前記板状部材の前記開口に挿通して配置され、
前記板状部材の突出部は、少なくとも前記ボルトを挟んで対向する位置に設けられており、
前記板状部材の突出部は、前記板状部材が取り外されていない状態で前記カバー部材と干渉し、
前記緩止効果発揮部材は、前記接続部材が締着された後に前記板状部材が取り外されることにより、緩み止め効果を発揮し、
前記カバー部材は、前記接続部材から前記取外部が取り外されることにより、前記接続部材により接続されたバスダクトの接続部に取り付けることが可能になっていることを特徴とするバスダクト接続構造。
【国際調査報告】
2017110849.tif 000016
2017110849.tif 000017
2017110849.tif 000018